(57)【要約】【課題】このように構成した従来の美容器では、超音波出力の変化を発振デューティの可変等で制御するようにしているが、この美容器では、デューティ可変回路が必要となり、コストがアップするという問題があった。【解決手段】内蔵したメモリに多数の発振パターンを記憶する発振制御回路１に発振パターンを変更する発振パターン変更装置２が接続され、又、発振制御回路１に設定された発振パターンを表示する表示装置３が接続され、さらに、発振制御回路１にバースト波を出力する発振器４が接続され、発振器４に超音波振動子５が接続されている。【選択図】        図１
2005027871.tif 000002
【特許請求の範囲】
【請求項１】
超音波の発振パターンを変更する発振パターン変更装置と、該発振パターン変更装置の出力で、内蔵しているメモリに記憶されている多数の発振パターン信号の１つを選択し、該発振パターン信号に応じた発振タイミング信号を出力する発振制御回路と、該発振制御回路から出力された発振パターン信号による発信タイミングでバースト波を出力する発振器と、前記発振制御回路で選択された発振パターンを表示する表示装置と、前記発振器の発振バースト波で超音波を発生する超音波振動子と、前記発振制御装置に電力を供給する電源装置とからなることを特徴とする美容器の超音波出力制御装置。
【請求項２】
前記発振制御回路の前記メモリに記憶されている多数の発振のパターン信号の１つはゼロからパターン信号に従って増加し、ピーク値に達すると、パターン信号に従って減少するようにした発振タイミング信号を前記発振器に入力し、この発振タイミングに従って発振バースト波を出力することを特徴とする請求項１記載の美容器の超音波出力制御装置。
【請求項３】
前記発振制御回路の前記メモリに記憶されている多数の発振パターンの１つはゼロから増加し、ピーク値で予め決められた時間だけ同じ値を取り、その後、減少するようにした発振タイミング信号を前記発振器に入力し、この発振タイミングに従って発振バースト波を出力することを特徴とする請求項１記載の美容器の超音波出力制御装置。
【請求項４】
前記発振制御回路の前記メモリに記憶されている多数の発振パターンの１つはゼロから徐々に増加し、ピーク値で予め決められた時間だけ同じ値を取り、その後、ゼロになるようにした発振タイミング信号を前記発振器に入力し、この発振タイミングに従って前記発振器の発振バースト波を出力することを特徴とする請求項１記載の美容器の超音波出力制御装置。
【発明の詳細な説明】
【０００１】
【発明が属する技術分野】
本発明は、発振器から出力されるバースト波の発振タイミングを変更するうようにした美容器の超音波出力制御装置に関するものである。
【０００２】
【従来の技術】
従来、美容器は、顔又は身体の所望の部分に超音波振動子を接触させて、超音波を照射するように構成しているが、顔や身体の皮膚に優しく超音波を照射するために、弱い超音波及び強い超音波を交互に照射するように構成している。
【０００３】
【発明が解決しようとする課題】
しかしながら、このように構成した従来の美容器では、超音波出力の変化を発振デューティの可変等で制御するようにしているが、この美容器では、デューティ可変回路が必要となり、コストがアップするという問題があった。
【０００４】
【課題を解決しようとする手段】
本発明は、超音波の発振パターンを変更する発振パターン変更装置と、該発振パターン変更装置の出力で、内蔵しているメモリに記憶されている多数の発振パターン信号の１つを選択し、該発振パターン信号に応じた発振タイミング信号を出力する発振制御回路と、該発振制御回路から出力された発振パターン信号による発信タイミングでバースト波を出力する発振器と、前記発振制御回路で選択された発振パターンを表示する表示装置と、前記発振器の発振バースト波で超音波を発生する超音波振動子と、前記発振制御装置に電力を供給する電源装置とからなるものであり、又、前記発振制御回路の前記メモリに記憶されている多数の発振のパターン信号の１つはゼロからパターン信号に従って増加し、ピーク値に達すると、パターン信号に従って減少するようにした発振タイミング信号を前記発振器に入力し、この発振タイミングに従って発振バースト波を出力するものであり、さらに、前記発振制御回路の前記メモリに記憶されている多数の発振パターンの１つはゼロから増加し、ピーク値で予め決められた時間だけ同じ値を取り、その後、減少するようにした発振タイミング信号を前記発振器に入力し、この発振タイミングに従って発振バースト波を出力するものであり、又、前記発振制御回路の前記メモリに記憶されている多数の発振パターンの１つはゼロから徐々に増加し、ピーク値で予め決められた時間だけ同じ値を取り、その後、ゼロになるようにした発振タイミング信号を前記発振器に入力し、この発振タイミングに従って前記発振器の発振バースト波を出力するものである。
【０００５】
【発明の実施の形態】
本発明は、バースト波を出力する発振器に発振制御回路のメモリに記憶された多数の発振パターンの中から所望の発振パターンの１つを選択し、この発振パターンでバースト波の発振タイミングを変更する発振タイミング信号を出力することにより、この発振パターンに応じてバースト波の発振タイミングを変更することができ、それによって、美容器の超音波振動子から発振制御回路の発振パターンに応じたバースト波を出力することができるので、デューティ可変回路のハード的制約を受けることがなく、超音波が肌に当たった時にローパワーにし、徐々にパワーアツプすることが自由に設定でき、さらに、パワーオフも同様に自由に設定でき、又、これらの発振パターンを記憶させることで、各人に合った発振パターンを設定することができる。
【０００６】
【実施例】
図１は本発明の実施例の美容器の超音波出力制御装置のブロック図で、ＣＰＵからなる内蔵したメモリに発振パターンを記憶する発振制御回路１に発振パターンを変更する発振パターン変更装置２が接続され、又、発振制御回路１に設定された多数の発振パターンの選択された１つを表示する表示装置３が接続され、さらに、発振制御回路１で選択された発振パターンによって出力される発振タイミングでにバースト波を出力する発振器４が接続され、発振器４に超音波振動子５が接続されており、又、発振制御回路１に電源６が接続されている。
【０００７】
このように構成した本実施例の美容器の超音波出力制御装置では、発振パターン変更装置２で発振制御回路１のメモリに記憶されている多数の発振パターン信号の中の１つの発振パターンを図２に示す発振パターンに選択すると、発振制御回路１は図２（ａ）に示すように発振器４のバースト波Ａの発振タイミングを始めは間隔を開けて、徐々に間隔が狭くなるように発振タイミング信号を出力することにより、図２（ｂ）に示すように超音波振動子５から照射される超音波が徐々に増加してピーク値から徐々に減少する波形Ｂのようになるので、このような超音波の照射をした場合、最初から強い超音波が照射されないので、肌に優しい超音波照射となり、又、発振パターン変更装置２で設定された発振パターンは表示装置３で表示されるので、操作者は設定された発振パターンを見ながら超音波を照射することができる。
【０００８】
又、発振パターン変更装置２で発振制御回路１のメモリに記憶されている多数の発振パターンの１つを図３に示す発振パターンに選択すると、図３（ａ）に示すように、バースト波Ａは最初に間隔が広くその後間隔の狭い部分が続き、その後で間隔を広くすることにより、図３（ｂ）に示すように、照射される超音波はゼロから徐々に増加し、ピーク値で予め決められた時間だけ同じ値を取り、その後、徐々に減少するような波形Ｂが照射されるので、照射される超音波が強い時間が長く続くようにすることができる。
【０００９】
さらに、発振パターン変更装置２で発振制御回路１のメモリに記憶されている多数の発振パターンの１つを図４に示す発振パターンに選択すると、図４（ａ）に示すように、バースト波Ａは最初に間隔が広くその後間隔の狭い部分が続き、その後で急に無くなるようにすることにより、図４（ｂ）に示すように、照射される超音波はゼロから徐々に増加し、ピーク値で予め決められた時間だけ同じ値を取り、その後、急にゼロになるような波形Ｂが照射されるので、この波形Ｂでは、照射される強い超音波が長く続いた後でゼロになるので、肌に強い刺激を残して終わりにすることができる。
【００１０】
本実施例は、このように、多数の発振パターンの中の１つが選択され、この選択された発振パターンで変更されたタイミング信号により、発振器４の出力バースト波の発振間隔を変更することにより、超音波が最初に肌に照射された時にローパワーにして、出力パワーを徐々ににアップすることを自由に設定することができ、可変パワーの範囲を広くすることができ、さらに、パワーオフも自由に設定でき、又、上記に示したパターン以外に種々のパターンを設定することができ、発振パターンを多数設定することにより、各人の好みの発振パターンを設定することができる。
【００１１】
【発明の効果】
以上説明したように、本発明の美容器の超音波出力制御装置では、バースト波を出力する発振器に発振制御回路のメモリに記憶された多数の発振パターンから選択された１つの発振パターンによってタイミング信号を出力することにより、この発振パターンに応じたタイミング信号でバースト波の発振タイミングを変更することができ、それによって、美容器の超音波振動子から発振制御回路の発振パターンに応じたバースト波を出力することができるので、デューティ可変回路のハード的制約を受けることがなく、超音波が肌に当たった時にローパワーにし、徐々にパワーアツプすることが自由に設定でき、さらに、パワーオフも同様に自由に設定でき、又、これらの発振パターンを記憶させることで、各人に合った発振パターンを設定することができるという利点がある。
【図面の簡単な説明】
【図１】図１は本発明の実施例の美容器の超音波出力制御装置のブロック図である。
【図２】図２は図１の発振制御回路で設定された発振出力パターンの波形図である。
【図３】図３は図１の発振制御回路で設定された発振出力パターンの他の波形図である。
【図４】図４は図１の発振制御回路で設定された発振出力パターンのさらに他の波形図である。
【符号の説明】
１          発振制御回路
２          発振パターン変更装置
３          表示装置
４          発振器
５          超音波振動子
【図１】
2005027871.tif 000003
【図２】
2005027871.tif 000004
【図３】
2005027871.tif 000005
【図４】
2005027871.tif 000006